(57)【特許請求の範囲】
【請求項１】
位相追跡基準信号（ＰＴ−ＲＳ）を送信するための、無線通信システムにおける無線デバイス（１４，１６）において使用するための方法であって、
スロット内のスケジュールされた最初の復調基準信号（ＤＭ−ＲＳ）の時間領域における位置に関する情報を取得することと（Ｓ１２０）、
データ送信のためにスケジュールされた前記スロット内の最初の時間シンボルの位置に関する情報を取得することと、
データ送信のためにスケジュールされた前記スロット内の最後の時間シンボルの位置に関する情報を取得することと、
前記スロット内でＰＴ−ＲＳシンボルを送信することを含み（Ｓ１２２）、前記ＰＴ−ＲＳシンボルの位置は、前記スケジュールされた最初のＤＭ−ＲＳの前記時間領域における前記位置に依存する、方法。
【請求項２】
請求項１に記載の方法であって、前記取得することは、前記スケジュールされた最初のＤＭ−ＲＳの前記時間領域における前記位置についての情報を受信すること、およびその位置を決定することのうちの１つを含む、方法。
【請求項３】
請求項１乃至２のいずれか一項に記載の方法であって、
スケジュールされた変調符号化方式（ＭＣＳ）を示す情報を取得することと、
前記スケジュールされたＭＣＳに基づく時間密度で前記ＰＴ−ＲＳを送信することとをさらに含む、方法。
【請求項４】
請求項３に記載の方法であって、前記時間密度が、１、１／２、および１／４のうちの１つである、方法。
【請求項５】
請求項１乃至４のいずれか一項に記載の方法であって、
前記スケジュールされた最初のＤＭ−ＲＳの位置、スケジュールされたＭＣＳ、必要とされる時間密度、データ送信のためにスケジュールされた前記最初の時間シンボルの位置、およびデータ送信のためにスケジュールされた前記最後の時間シンボルの位置のうちの１つまたは複数に基づいて、前記ＰＴ−ＲＳを前記スロット内のリソース要素（ＲＥ）にマッピングすることをさらに含み、
前記ＰＴ−ＲＳをマッピングすることは、前記最初のＤＭ−ＲＳの前のＲＥに前記ＰＴ−ＲＳをマッピングすることを含む、方法。
【請求項６】
請求項１乃至５のいずれか一項に記載の方法であって、前記最初のＤＭ−ＲＳは、周波数において複数のサブキャリアにまたがり且つ時間において前記スロットの少なくとも１つの時間シンボルにまたがるリソース要素（ＲＥ）においてスケジュールされる一方、前記ＰＴ−ＲＳは、周波数において少なくとも１つのサブキャリアにまたがり且つ時間において前記スロットの複数の時間シンボルにまたがるＲＥにおいて送信される、方法。
【請求項７】
請求項１乃至６のいずれか一項に記載の方法であって、前記スロットの物理リソースブロック（ＰＲＢ）が周波数領域で１２個のサブキャリアを有し、時間領域で１２個または１４個の時間シンボルを有する、方法。
【請求項８】
位相追跡基準信号（ＰＴ−ＲＳ）を送信するために構成された、無線通信システムにおける無線デバイス（１４，１６）であって、
処理回路（２２，４２）を含み、該処理回路（２２，４２）は、
スロット内のスケジュールされた最初の復調基準信号（ＤＭ−ＲＳ）の時間領域における位置に関する情報を取得し、
データ送信のためにスケジュールされたスロット内の最初の時間シンボルの位置に関する情報を取得し、
データ送信のためにスケジュールされた前記スロット内の最後の時間シンボルの位置に関する情報を取得し、
前記スロット内でＰＴ−ＲＳシンボルを送信するよう構成され、前記ＰＴ−ＲＳシンボルの位置は、前記スケジュールされた最初のＤＭ−ＲＳの前記時間領域における前記位置に依存する、無線デバイス（１４，１６）。
【請求項９】
請求項８に記載の無線デバイス（１４，１６）であって、前記取得することは、前記スケジュールされた最初のＤＭ−ＲＳの前記時間領域における前記位置についての情報を受信すること、およびその位置を決定することのうちの１つを含む、無線デバイス（１４，１６）。
【請求項１０】
請求項８乃至９のいずれか一項に記載の無線デバイス（１４，１６）であって、前記処理回路はさらに、
スケジュールされた変調符号化方式（ＭＣＳ）を示す情報を取得し、
前記スケジュールされたＭＣＳに基づく時間密度で前記ＰＴ−ＲＳを送信するよう構成された、無線デバイス（１４，１６）。
【請求項１１】
請求項１０に記載の無線デバイス（１４，１６）であって、前記時間密度が、１、１／２、および１／４のうちの１つである、無線デバイス（１４，１６）。
【請求項１２】
請求項８乃至１１のいずれか一項に記載の無線デバイス（１４，１６）であって、前記処理回路はさらに、
前記スケジュールされた最初のＤＭ−ＲＳの位置、スケジュールされたＭＣＳ、必要とされる時間密度、データ送信のためにスケジュールされた前記最初の時間シンボルの位置、およびデータ送信のためにスケジュールされた前記最後の時間シンボルの位置のうちの１つまたは複数に基づいて、前記ＰＴ−ＲＳを前記スロット内のリソース要素（ＲＥ）にマッピングし、
前記ＰＴ−ＲＳをマッピングすることは、前記最初のＤＭ−ＲＳの前のＲＥに前記ＰＴ−ＲＳをマッピングすることを含むよう構成された、無線デバイス（１４，１６）。
【請求項１３】
請求項８乃至１２のいずれか一項に記載の無線デバイス（１４，１６）であって、前記最初のＤＭ−ＲＳは、周波数において複数のサブキャリアにまたがり且つ時間において前記スロットの少なくとも１つの時間シンボルにまたがるリソース要素（ＲＥ）においてスケジュールされる一方、前記ＰＴ−ＲＳは、周波数において少なくとも１つのサブキャリアにまたがり且つ時間において前記スロットの複数の時間シンボルにまたがるＲＥにおいて送信される、無線デバイス（１４，１６）。
【請求項１４】
請求項８乃至１３のいずれか一項に記載の無線デバイス（１４，１６）であって、前記スロットの物理リソースブロック（ＰＲＢ）が周波数領域で１２個のサブキャリアを有し、時間領域で１２個または１４個の時間シンボルを有する、無線デバイス（１４，１６）。
【発明の詳細な説明】
【技術分野】
【０００１】
本開示は無線通信に関し、特に、復調基準信号ＤＭ−ＲＳと共に位相追跡基準信号ＰＴ−ＲＳをスケジューリングするための方法、ネットワークノード、および無線デバイスに関する。
【背景技術】
【０００２】
新無線（ＮＲ）（第３世代パートナーシッププロジェクト（３ＧＰＰ）第５世代（５Ｇ）移動無線システム）の物理層は、１ＧＨｚ未満から１００ＧＨｚまでの周波数範囲で動作することによって、膨大な数の異なる送信シナリオを処理することが期待される。６ＧＨｚを超えるキャリア周波数はロングタームエボリューション（ＬＴＥ）によってサポートされておらず、したがって、ＮＲはＬＴＥの物理層よりも広範囲の周波数において良好な性能を提供する、物理層のための新しく柔軟な設計を必要とする。
【０００３】
ＬＴＥと同様に、ＮＲは、時間−周波数リソースグリッド上にマッピングされた基準信号および物理層チャネルを用いる直交周波数分割多重化（ＯＦＤＭ）ベースの波形を使用する。ＮＲはネットワークのエネルギー効率を向上させ、前方互換性を保証するために、常時接続送信を最小限に抑える超リーン設計を有する。ＬＴＥにおけるセットアップとは対照的に、ＮＲにおける基準信号は、必要なときにのみ送信される。復調基準信号（ＤＭ−ＲＳ）および位相追跡基準信号（ＰＴ−ＲＳ）は、とりわけ、基準信号の２つのバリエーションである。
【０００４】
ＤＭ−ＲＳは、復調のための無線チャネルを推定するために使用される。ＤＭ−ＲＳは無線デバイス固有であり、ビームフォーミングされ、スケジュールされたリソースに限定され、必要な場合にのみ、ダウンリンク（ＤＬ）、すなわち基地局から無線デバイスへ、およびアップリンク（ＵＬ）、すなわち無線デバイスから基地局への両方で送信され得る。多層多入力多出力（ＭＩＭＯ）伝送をサポートするために、複数の直交ＤＭ−ＲＳポートを、各層に１つずつスケジュールすることができる。直交性は、周波数分割多重化（ＦＤＭ）（櫛形構造）、時分割多重化（ＴＤＭ）、および符号分割多重化（ＣＤＭ）（ルートシーケンスの巡回シフトまたは直交カバーコードを伴う）によって達成される。基本的なＤＭ−ＲＳパターンは、ＤＭ−ＲＳ設計が低レイテンシアプリケーションをサポートするための早期デコード要件を考慮に入れるので、前倒しされる。低速シナリオの場合、ＤＭ−ＲＳは、時間領域において低密度を使用する。しかしながら、高速シナリオの場合、ＤＭ−ＲＳの時間密度は、無線チャネルの高速変化を追跡するために増加される。図１および図２は、送信スロットにおける低ドップラーシナリオおよび高ドップラーシナリオそれぞれに対する周波数−時間グリッドにおける潜在的なＤＭ−ＲＳリソースマッピングを示す。
【０００５】
ＮＲが直面する別の課題は無線システムがミリ（ｍｍ）波帯で動作するときの無線周波数（ＲＦ）障害、具体的には局部発振器によって生成される位相雑音の影響である。位相雑音によって生じる劣化はキャリア周波数が増大するにつれて増大し、その結果、良好な性能を達成するために、ミリ波周波数で動作するＮＲの物理層は位相雑音に対してロバストでなければならない。したがって、位相追跡基準信号（ＰＴ−ＲＳ）と呼ばれる新しい基準信号が必要とされている。そのような信号は、ＯＦＤＭシンボル内のすべてのサブキャリア上で等しく経験される位相雑音誘起共通位相誤差（ＣＰＥ）と、サブキャリア間の直交性の損失によって引き起こされるキャリア間干渉（ＩＣＩ）との両方の軽減のために使用できる。
【０００６】
ＰＴ−ＲＳは、アップリンクおよびダウンリンクの両方において必要とされ得る。この信号は、細かいキャリア周波数同期および位相雑音補償の両方に使用できることが予見される。この信号は高いキャリア周波数においてのみ存在し、必要とされると仮定され、一方、ＤＭ−ＲＳの他の特性は、いくらか変化しないままであり得る。高搬送周波数でＰＴ−ＲＳを追加する例を図３に示す。
【０００７】
異なる変調および符号化方式（ＭＣＳ）は図４および図５に示すように、位相雑音の影響に対して異なるロバスト性を提供する。したがって、特定の無線デバイス（ＷＤ）のためのＰＴ−ＲＳの時間密度は、スケジュールされたＭＣＳに従って構成されることができる。
【０００８】
既存の解決策の問題は、以下のように要約することができる。
・ＰＴ−ＲＳはＮＲに導入される新しい基準信号であり、特定のシナリオにおいてＤＭ−ＲＳと共存することができる。
・各タイプの基準信号は、時間−周波数グリッドにおいてそれ自体のリソースを予約する必要がある。
・従来技術の解決策はＤＭ−ＲＳおよびＰＴ−ＲＳのための複合設計を提案するが、この設計はただ１つのＤＭ−ＲＳインスタンスがスロット内でスケジュールされる場合に限定される。
・パイロット汚染が生じる可能性があり、その結果、基準信号によって使用される総リソースのオーバーヘッドが制御される必要がある。
【発明の概要】
【０００９】
ＤＭ−ＲＳおよびＰＴ−ＲＳの複合設計のための提案された解決策は、時間領域におけるＰＴ−ＲＳマッピングが少なくとも以下に依存し得るという条件に基づいてよい。
【００１０】
・ＰＴ−ＲＳがマッピングされるアンテナポートのためのスロット内の前倒しされたＤＭ−ＲＳの位置、
・ＰＴ−ＲＳのための時間領域における必要な時間密度、
・送信スロットにおけるデータ送信のためにスケジュールされた最初のシンボルの位置、
・送信スロットにおけるデータ送信のためにスケジュールされた最後のシンボルの位置。
【００１１】
提案されたソリューションは、ＤＭ−ＲＳとＰＴ−ＲＳとの複合マッピングを含むこともできる。スロット内の追加のＤＭ−ＲＳの位置は、マッピングされるＰＴ−ＲＳに依存し得る。
【００１２】
１つの態様はＰＴ−ＲＳがスケジュールされるときに、ＰＴ−ＲＳリソースがスロット内の最初のＤＭ−ＲＳと位置合わせされ得ることである。さらに、追加のＤＭ−ＲＳおよびＰＴ−ＲＳの両方がリソースグリッド内に存在する場合、追加のＤＭ−ＲＳ位置は、ＰＴ−ＲＳ位置と位置合わせし得る。
【００１３】
いくつかの実施形態では、位相追跡基準信号（ＰＴ−ＲＳ）を送信および受信することのうちの１つのための、無線通信システムにおける無線ノードにおいて使用するための方法が提供される。この方法は、スロット内のスケジュールされた最初の復調基準信号（ＤＭ−ＲＳ）の時間領域内の位置に関する情報を取得することを含む。この方法はまた、スロット内でＰＴ−ＲＳを送信および受信することのうちの１つを含み、ここで、ＰＴ−ＲＳの位置は、スケジュールされた最初のＤＭ−ＲＳの時間領域における位置に依存する。
【００１４】
いくつかの実施形態では、取得することは、スケジュールされた最初のＤＭ−ＲＳの時間領域における位置についての情報を受信すること、およびその位置を決定することのうちの１つを含む。いくつかの実施形態では、この方法がデータ送信のためにスケジュールされたスロット内の最初の時間シンボルの位置に関する情報を取得することをさらに含む。いくつかの実施形態では、この方法はまた、データ送信のためにスケジュールされたスロット内の最後の時間シンボルの位置に関する情報を取得することを含む。いくつかの実施形態では、この方法はまた、スケジュールされた変調および符号化スキーム（ＭＣＳ）を示す情報を取得することと、スケジュールされたＭＣＳに基づく時間密度でＰＴ−ＲＳを送信することとを含む。いくつかの実施形態では、時間密度が１、１／２、および１／４のうちの１つである。いくつかの実施形態では、この方法が、スケジュールされた最初のＤＭ−ＲＳの位置、スケジュールされたＭＣＳ、必要とされる時間密度、データ送信のためにスケジュールされた最初の時間シンボルの位置、およびデータ送信のためにスケジュールされた最後の時間シンボルの位置のうちの１つまたは複数に基づいて、ＰＴ−ＲＳをスロット内のリソース要素（ＲＥ）にマッピングすることを含む。いくつかの実施形態では、最初のＤＭ−ＲＳは、周波数においていくつかのサブキャリアにまたがり且つ時間においてスロットの少なくとも１つの時間シンボルにまたがるリソース要素（ＲＥ）においてスケジュールされる一方、ＰＴ−ＲＳは、周波数において少なくとも１つのサブキャリアにまたがり且つ時間においてスロットの複数の時間シンボルにまたがるＲＥにおいて送信されるか、又は受信される。いくつかの実施形態では、スロットの物理リソースブロック（ＰＲＢ）が周波数領域で１２個のサブキャリアを有し、時間領域で１２個または１４個の時間シンボルを有する。いくつかの実施形態では、無線ノードがＷＤおよびネットワークノードのうちの一方である。
【００１５】
別の態様によれば、ＰＴ−ＲＳを送信および受信することのうちの一方のために構成された無線通信システムにおける無線ノードが提供される。この無線ノードは、スロット内のスケジュールされた最初のＤＭ−ＲＳの時間領域内の位置に関する情報を取得するように構成された処理回路を含む。この処理回路は、スロット内でＰＴ−ＲＳを送信および受信することの一方を行うようにさらに構成され、ＰＴ−ＲＳの位置はスケジュールされた最初のＤＭ−ＲＳの時間領域における位置に依存する。
【００１６】
この態様によれば、いくつかの実施形態において、取得することは、スケジュールされた最初のＤＭ−ＲＳの時間領域における位置についての情報を受信すること、およびその位置を決定することのうちの１つを含む。いくつかの実施形態では、この処理回路は、データ送信のためにスケジュールされたスロット内の最初の時間シンボルの位置に関する情報を取得し、データ送信のためにスケジュールされたスロット内の最後の時間シンボルの位置に関する情報を取得するようにさらに構成される。いくつかの実施形態では、この処理が、スケジュールされた変調および符号化スキーム（ＭＣＳ）を示す情報を取得し、スケジュールされたＭＣＳに基づいた時間密度でＰＴ−ＲＳを送信するようにさらに構成される。いくつかの実施形態では、時間密度が１、１／２、および１／４のうちの１つである。いくつかの実施形態では、この処理回路が、スケジュールされた最初のＤＭ−ＲＳの位置、スケジュールされたＭＣＳ、必要とされる時間密度、データ送信のためにスケジュールされた最初の時間シンボルの位置、およびデータ送信のためにスケジュールされた最後の時間シンボルの位置のうちの１つまたは複数に基づいて、ＰＴ−ＲＳをスロット内のリソース要素（ＲＥ）にマッピングするようにさらに構成される。いくつかの実施形態では、最初のＤＭ−ＲＳは、周波数においていくつかのサブキャリアにまたがり且つ時間においてスロットの少なくとも１つの時間シンボルにまたがるリソース要素（ＲＥ）においてスケジュールされる一方、ＰＴ−ＲＳは、周波数において少なくとも１つのサブキャリアにまたがり且つ時間においてスロットの複数の時間シンボルにまたがるＲＥにおいて送信されるか、又は受信される。いくつかの実施形態では、スロットの物理リソースブロック（ＰＲＢ）が周波数領域で１２個のサブキャリアを有し、時間領域で１２個または１４個の時間シンボルを有する。いくつかの実施形態では、無線ノードがＷＤおよびネットワークノードのうちの一方である。
【００１７】
別の態様によれば、ＰＴ−ＲＳを送信および受信することのうちの一方のために構成された無線通信システムにおける無線ノードが提供される。この無線ノードは、スロット内のスケジュールされた最初のＤＭ−ＲＳの時間領域内の位置に関する情報を取得するように構成された復調基準信号（ＤＭ−ＲＳ）位置決めモジュールを含む。この無線ノードは、スロット内でＰＴ−ＲＳを送信および受信することの一方を行うようにさらに構成されたＰＴ−ＲＳトランシーバモジュールをさらに含み、ＰＴ−ＲＳの位置はスケジュールされた最初のＤＭ−ＲＳの時間領域における位置に依存する。いくつかの実施形態では、最初のＤＭ−ＲＳは、周波数においていくつかのサブキャリアにまたがり且つ時間においてスロットの少なくとも１つの単一の時間シンボルにまたがるリソース要素（ＲＥ）においてスケジュールされる一方、ＰＴ−ＲＳは、周波数において少なくとも１つのサブキャリアにまたがり且つ時間においてスロットの複数の時間シンボルにまたがるＲＥにおいて送信されるか、又は受信される。
【図面の簡単な説明】
【００１８】
本明細書に記載した実施形態、およびそれに付随する利点および特徴のより完全な理解は、添付の図面と併せて考慮される場合、以下の詳細な説明を参照することによって、より容易に理解されるのであろう。
【図１】図１は、低ドップラーのための早期復号をサポートするＮＲのための可能なＤＭ−ＲＳパターンを示す。
【図２】図２は、高ドップラーのための早期復号をサポートするＮＲのための可能なＤＭ−ＲＳパターンを示す。
【図３】図３は、高いキャリア周波数でのＰＴ−ＲＳの追加を示す。
【図４】図４は、１６ＱＡＭ（３／４）ＭＣＳの評価結果を示す。
【図５】図５は、６４ＱＡＭ（５／６）ＭＣＳの評価結果を示す。
【図６】図６は、本明細書に記載された原理に従って構築された無線通信システムのブロック図である。
【図７】図７は、本明細書に記載された原理に従って構築されたネットワークノードのブロック図である。
【図８】図８は、本明細書に記載された原理に従って構築されたネットワークノードの代替実施形態のブロック図である。
【図９】図９は、本明細書に記載された原理に従って構築された無線デバイスのブロック図である。
【図１０】図１０は、本明細書に記載された原理に従って構築された無線デバイスの代替実施形態のブロック図である。
【図１１】図１１は、無線デバイスおよび／またはネットワークノードにおいて実行され得るＤＭ−ＲＳおよびＰＴ−ＲＳの複合スケジューリングのための例示的な処理のフローチャートである。
【図１２】図１２は、ＤＭ−ＲＳおよびＰＴ−ＲＳをスケジューリングするための例示的な処理のフローチャートである。
【図１３】図１３は、位相追跡基準信号（ＰＴ−ＲＳ）を送受信するための例示的な処理のフローチャートである。
【図１４】図１４は、時間密度１を有する位置合わせされたＤＭ−ＲＳおよびＰＴ−ＲＳを有する単一のＤＭ−ＲＳインスタンスを示す。
【図１５】図１５は、時間密度１／２を有する位置合わせされたＤＭ−ＲＳおよびＰＴ−ＲＳを有する単一の前倒しされたＤＭ−ＲＳを示す。
【図１６】図１６は、時間密度１／２を有する位置合わせされたＤＭ−ＲＳおよびＰＴ−ＲＳを有する二重の前倒しされたＤＭ−ＲＳを示す。
【図１７】図１７は、時間密度１を有する追加のＤＭ−ＲＳおよびＰＴ−ＲＳを有する前倒しされたＤＭ−ＲＳパターンを示す。
【図１８】図１８は、時間密度１／２を有する追加のＤＭ−ＲＳおよびＰＴ−ＲＳを有する前倒しされたＤＭ−ＲＳパターンを示す。
【発明を実施するための形態】
【００１９】
例示的な実施形態を詳細に説明する前に、実施形態は主に、復調基準信号（ＤＭ−ＲＳ）と共に、位相追跡基準信号（ＰＴ−ＲＳ）をスケジューリングすることに関連する装置の構成要素および処理ステップの組合せにあることに留意されたい。したがって、このシステム及び方法の構成要素は、本開示の説明の恩恵を受ける当業者には容易に明らかであろう詳細で本開示を不明瞭にしないように、本開示の実施形態の理解に関連する特定の詳細のみを示す図面中の従来の記号によって適宜表されている。
【００２０】
本明細書で使用されるように、「第１の」および「第２の」、「上部の」および「下部の」などの関係用語は、エンティティまたは要素間の物理的または論理的な関係または順序を必ずしも必要とせず、または暗示することなく、１つのエンティティまたは要素を別のエンティティまたは要素から区別するためにのみ使用され得る。
【００２１】
指示は一般に、それが表すおよび／または示す情報を明示的および／または暗示的に示すことができる。暗黙の指示は例えば、送信のために使用される位置および／またはリソースに基づくことができる。明示的指示は例えば、１つまたは複数のパラメータ、および／または１つまたは複数のインデックス、および／または情報を表す１つまたは複数のビットパターンを用いたパラメータ化に基づくことができる。特に、本明細書で説明する制御信号は、利用されるリソースシーケンスに基づいて、制御信号タイプを暗黙的に示すと考えることができる。
【００２２】
本明細書で使用される信号という用語は、任意の物理信号または物理チャネルとすることができる。物理信号の例は、ＰＳＳ、ＳＳＳ、ＣＲＳ、ＰＲＳなどの基準信号である。本明細書で使用される（例えば、チャネル受信の文脈における）物理チャネルという用語は、「チャネル」とも呼ばれる。物理チャネルの例は、ＭＩＢ、ＰＢＣＨ、ＮＰＢＣＨ、ＰＤＣＣＨ、ＰＤＳＣＨ、ｓＰＵＣＣＨ、ｓＰＤＳＣＨ、ｓＰＵＣＣＨ、ｓＰＵＳＣＨ、ＭＰＤＣＣＨ、ＮＰＤＣＣＨ、ＮＰＤＳＣＨ、Ｅ−ＰＤＣＣＨ、ＰＵＳＣＨ、ＰＵＣＣＨ、ＮＰＵＳＣＨなどである。これらの用語／略語は、３ＧＰＰ標準言語に従って、特にＬＴＥおよび／またはＮＲに従って使用され得る。
【００２３】
セルラ通信に関して、例えば、ネットワークノード、特に基地局またはｅノードＢによって提供され得るセルを介して、および／またはセルを定義する、少なくとも１つのアップリンク（ＵＬ）接続および／またはチャネルおよび／またはキャリア、ならびに少なくとも１つのダウンリンク（ＤＬ）接続および／またはチャネルおよび／またはキャリアが提供されることが考慮され得る。アップリンク方向は、端末からネットワークノード、例えば、基地局および／または中継局へのデータ転送方向を指してよい。ダウンリンク方向は、ネットワークノード、例えば、基地局および／または中継局から端末へのデータ転送方向を指してよい。ＵＬおよびＤＬは異なる周波数リソース、たとえば、キャリアおよび／またはスペクトル帯域に関連付けられ得る。セルは、少なくとも１つのアップリンクキャリアと少なくとも１つのダウンリンクキャリアとを備えることができ、それらは異なる周波数帯域を有してよい。ネットワークノード、例えば、基地局、ｇＮＢ、またはｅＮｏｄｅＢは、１つまたは複数のセル、例えば、ＰＣｅｌｌおよび／またはＬＡセルを提供および／または定義および／または制御するように適合され得る。
【００２４】
ダウンリンクでの送信は、ネットワークまたはネットワークノードから端末への送信に関係し得る。アップリンクでの送信は、端末からネットワークまたはネットワークノードへの送信に関係し得る。サイドリンクでの送信は、１つの端末から別の端末への（直接的である）送信に関連し得る。アップリンク、ダウンリンク、およびサイドリンク（例えば、サイドリンク送信および受信）は、通信方向と見なされ得る。いくつかの変形例では、アップリンクおよびダウンリンクはまた、ネットワークノード間の無線通信、例えば、無線バックホールおよび／または中継通信および／または、例えば基地局間または同様のネットワークノード間の（無線）ネットワーク通信、特にそのようなもので終端する通信を説明するために使用されてもよい。バックホールおよび／または中継通信および／またはネットワーク通信は、サイドリンクまたはアップリンク通信またはそれらに類似するもの形態として実装されると考えることができる。
【００２５】
一般に、構成することは、構成を表す構成データを決定することと、それを１つまたは複数の他のノードに（並列および／または順次）提供すること（たとえば、送信すること）とを含むことができ、１つまたは複数の他のノードはそれをさらに無線ノード（または無線デバイスに到達するまで繰り返すことができる別のノード）に送信することができる。代替的に、または追加的に、例えば、ネットワークノードまたは他のデバイスによって無線ノードを構成することは、構成データおよび／または構成データに関連するデータを、例えば、ネットワークのより高いレベルのノードであり得るネットワークノード１６のような別のノードから受信すること、および／または受信された構成データを無線ノードに送信することを含み得る。したがって、構成を決定し、構成データを無線ノードに送信することは、異なるネットワークノードまたはエンティティによって実行され得、異なるネットワークノードまたはエンティティは適切なインターフェース、たとえば、ＬＴＥの場合にはＸ２インターフェース、またはＮＲの場合には対応するインターフェースを介して通信することが可能であり得る。端末（例えば、ＷＤ）を構成することは、端末のためのダウンリンクおよび／またはアップリンク送信、例えば、ダウンリンクデータおよび／またはダウンリンク制御シグナリングおよび／またはＤＣＩおよび／またはアップリンク制御またはデータまたは通信シグナリング、特に肯定応答シグナリングをスケジューリングすること、および／またはリソースおよび／またはそのためのリソースプールを構成することを含むことができる。特に、端末（例えば、ＷＤ）を構成することは、本開示の実施形態に従って、あるサブフレームまたは無線リソース上である測定を実行するようにＷＤを構成することと、そのような測定を報告することとを含み得る。
【００２６】
シグナリングは、１つまたは複数の信号および／またはシンボルを含むことができる。基準シグナリングは、１つまたは複数の基準信号および／またはシンボルを含むことができる。データシグナリングはデータを含む信号および／またはシンボル、特に、無線および／または物理層の上の通信層からのユーザデータおよび／またはペイロードデータおよび／またはデータに関係し得る。復調基準シグナリングは、１つまたは複数の復調信号および／またはシンボルを含むと考えることができる。復調基準シグナリングは特に、３ＧＰＰおよび／またはＮＲおよび／またはＬＴＥ技術に従うＤＭ−ＲＳを含むことができる。復調基準シグナリングは一般に、関連するデータシグナリングまたはデータを復号および／または復調するための、端末のような受信デバイスのための基準を提供する信号を表すと考えられ得る。復調基準シグナリングは、データまたはデータシグナリング、特に特定のデータまたはデータシグナリングに関連付けられ得る。データシグナリングおよび復調基準シグナリングはインターレースおよび／または多重化され、たとえば、サブフレームまたはスロットまたはシンボルをカバーする同じ時間隔で、および／またはリソースブロックのような同じ時間−周波数リソース構造で配置されると考えることができる。リソース要素は最小の時間−周波数リソースを表すことができ、例えば、１つのシンボルによってカバーされる時間および周波数範囲、または共通の変調で表されるビット数を表すことができる。リソース要素は例えば、特に３ＧＰＰおよび／またはＮＲおよび／またはＬＴＥ規格において、シンボル時間長およびサブキャリアをカバーすることができる。データ送信は特定のデータ、例えば、データの特定のブロックおよび／またはトランスポートブロックの送信を表し、かつ／またはそれに関係し得る。一般に、復調基準シグナリングは、復調基準シグナリングを識別および／または定義することができる信号および／またはシンボルのシーケンスを含む、かつ／または表すことができる。
【００２７】
データまたは情報は任意の種類のデータ、特に、制御データまたはユーザデータまたはペイロードデータのうちの任意の１つおよび／または任意の組合せを指すことができる。制御情報（制御データとも呼ばれる）は、データ送信の処理、および／またはネットワークまたは端末動作を制御するデータ、および／またはスケジューリングするデータ、および／またはそれに関係するデータを指すことができる。
【００２８】
図６は、本明細書に記載された原理に従って構成された無線通信ネットワークのブロック図である。無線通信ネットワーク１０は、インターネットおよび／または公衆交換電話網（ＰＳＴＮ）を含み得るクラウド１２を含む。クラウド１２は、無線通信ネットワーク１０のバックホールネットワークとしても働くことができる。無線通信ネットワーク１０は１つまたは複数のネットワークノード１４Ａおよび１４Ｂを含み、１つまたは複数のネットワークノード１４Ａおよび１４ＢはＬＴＥ実施形態ではＸ２インターフェースを介して直接通信することができ、まとめてネットワークノード１４と呼ばれる。他のインタフェースタイプを、新無線（ＮＲ）などの他の通信プロトコルのためのネットワークノード１４間の通信に使用することができることが企図される。ネットワークノード１４は、本明細書ではまとめて無線デバイス１６と呼ばれる無線デバイス１６Ａおよび１６Ｂにサービスを提供することができる。便宜上、２つの無線デバイス１６および２つのネットワークノード１４のみが示されているが、無線通信ネットワーク１０は通常、より多くの無線デバイス（ＷＤ）１６およびネットワークノード１４を含むことができることに留意されたい。さらに、いくつかの実施形態では、ＷＤ１６がサイドリンク接続と呼ばれることがあるものを使用して直接通信することができる。
【００２９】
本明細書で使用される用語「無線デバイス」またはモバイル端末は、セルラまたはモバイル通信システム１０内のネットワークノード１４および／または別の無線デバイス１６と通信する任意のタイプの無線デバイスを指すことができる。無線デバイス１６の例は、ユーザ機器（ＵＥ）、ターゲットデバイス、デバイスツーデバイス（Ｄ２Ｄ）無線デバイス、マシンツーマシン（Ｍ２Ｍ）通信が可能なマシンタイプ無線デバイスまたは無線デバイス、ＰＤＡ、タブレット、スマートフォン、ラップトップ埋め込み型機器（ＬＥＥ）、ラップトップマウント機器（ＬＭＥ）、ＵＳＢドングルなどである。
本明細書で使用される用語「ネットワークノード」は、任意の基地トランシーバ局（ＢＴＳ）、基地局コントローラ（ＢＳＣ）、無線ネットワークコントローラ（ＲＮＣ）、進化型ノードＢ（ｅＮＢまたはｅＮｏｄｅＢ）、ＮＲｇＮｏｄｅＢ、ＮＲｇＮＢ、ノードＢや、ＭＳＲＢＳなどのマルチスタンダード無線（ＭＳＲ）無線ノード、リレーノード、ドナーノード制御リレー、無線アクセスポイント（ＡＰ）、送信ポイント、送信ノード、リモート無線ユニット（ＲＲＵ）リモート無線ヘッド（ＲＲＨ）、分散アンテナシステム（ＤＡＳ）内のノードなどをさらに含むことができる無線ネットワーク内の任意の種類の無線基地局を指すことができる。
【００３０】
実施形態はネットワークノード１４によって実行される特定の機能を参照して本明細書で説明されるが、機能は他のネットワークノードおよび要素において実行され得ることが理解される。また、ネットワークノード１４の機能は、ネットワーククラウド１２にわたって分散させることができ、その結果、他のノードは、本明細書で説明する１つまたは複数の機能、または機能の一部さえも実行することができることも理解されたい。また、ネットワークノード１４によって実行されるものとして本明細書で説明される機能は、無線デバイス１６によって実行されてもよい。
【００３１】
ネットワークノード１４は、メモリに記憶され得るＤＭ−ＲＳ位置情報３０を有する。ＤＭ−ＲＳ位置情報は、スロット内のスケジュールされた最初のＤＭ−ＲＳの時間領域内の位置に関する情報を含む。ネットワークノード１４はまた、スロット内でＰＴ−ＲＳを送信または受信するように構成されたＰＴ−ＲＳトランシーバ２８を有し、ＰＴ−ＲＳの位置は、ＤＭ−ＲＳの位置に依存する。同様に、無線デバイス１６は、ＤＭ−ＲＳ位置メモリ３０およびＰＴ−ＲＳトランシーバ２８とそれぞれ同じ機能を実行するＤＭ−ＲＳ位置情報５０およびＰＴ−ＲＳトランシーバ４８を含むことができる。
【００３２】
図７は、ＤＭ−ＲＳおよびＰＴ−ＲＳを複合スケジューリングするよう構成されたネットワークノード１４のブロック図である。ネットワークノード１４は処理回路２２を有する。いくつかの実施形態では処理回路がメモリ２４およびプロセッサ２６を含んでよく、メモリ２４は、プロセッサ２６によって実行されると本明細書で説明される１つまたは複数の機能を実行するようにプロセッサ２６を構成する命令を含む。従来のプロセッサおよびメモリに加えて、処理回路２２は処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）を含んでよい。
【００３３】
処理回路２２はメモリ２４を含み、および／またはメモリ２４に接続され、および／またはメモリ２４にアクセス（例えば書き込みおよび／または読み出し）するように構成されてよく、メモリ２４は、任意の種類の揮発性および／または不揮発性メモリ、例えばキャッシュおよび／またはバッファメモリおよび／またはＲＡＭ（ランダムアクセスメモリ）および／またはＲＯＭ（読み出し専用メモリ）および／または光学メモリおよび／またはＥＰＲＯＭ（消去可能プログラマブル読み出し専用メモリ）を含むんでよい。そのようなメモリ２４は、制御回路により実行可能なコードおよび／または他のデータ、例えば通信に関係するデータ、例えばノードの構成および／またはアドレスデータなどを記憶するように構成され得る。処理回路２２は本明細書で説明される方法のいずれかを制御するように、かつ／または、そのような方法を例えばプロセッサ２６によって実行させるように構成されてもよい。対応する命令は、処理回路２２で読み取り可能な、かつ／または読み取り可能に接続され得るメモリ２４に記憶されてよい。換言すると、処理回路２２は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含んでよいコントローラを含むことができる。処理回路２２は、コントローラおよび／または処理回路２２によって読み取りおよび／または書き込みのためにアクセス可能であるように構成され得るメモリを含むか、またはメモリに接続され得るか、またはメモリに接続可能であり得ることが考慮されてよい。
【００３４】
メモリ２４は、ＤＭ−ＲＳ位置情報３０およびＰＴ−ＲＳスケジュール情報３２を記憶するように構成される。プロセッサ２６は、スロット内のスケジュールされた最初のＤＭ−ＲＳの時間領域内の位置に関する情報を取得するように構成されたＤＭ−ＲＳ位置取得器１８を実装する。プロセッサ２６はまた、スロット内でＰＴ−ＲＳをスケジュールするように構成されたＰＴ−ＲＳスケジューラ２０を実装することができる。トランシーバ２８はＰＴ−ＲＳを無線デバイス１６に送信するか、または無線デバイス１６からＰＴ−ＲＳを受信するように構成され、ＰＴ−ＲＳの位置は第１のＤＭ−ＲＳの位置に依存する。
【００３５】
図８は、ＤＭ−ＲＳおよびＰＴ−ＲＳを複合スケジューリングするよう構成されたネットワークノード１４の代替実施形態のブロック図である。メモリモジュール２５は、ＤＭ−ＲＳ位置情報３０およびＰＴ−ＲＳスケジュール情報３２を記憶するように構成される。ＤＭ−ＲＳ位置取得器モジュール１９は、スロット内でスケジュールされた最初のＤＭ−ＲＳの時間領域内の位置に関する情報を取得するように構成される。ＰＴ−ＲＳスケジューラモジュール２１は、スロット内でＰＴ−ＲＳをスケジュールするように構成される。トランシーバモジュール２９はＰＴ−ＲＳを無線デバイス１６に送信するか、または無線デバイス１６からＰＴ−ＲＳを受信するように構成され、ＰＴ−ＲＳの位置は第１のＤＭ−ＲＳの位置に依存する。
【００３６】
ネットワークノード１４における図７に示される同じ構成要素は、アップリンク上での送信のための無線装置１６によるＤＭ−ＲＳおよびＰＴ−ＲＳの複合スケジューリングのために、無線装置１６において実装され得ることに留意されたい。したがって、無線デバイス１６は、アップリンク上でのＤＭ−ＲＳおよびＰＴ−ＲＳの複合スケジューリングのためのＤＭ−ＲＳ位置取得器５８およびＰＴ−ＲＳスケジューラ６０を有することができる。
【００３７】
従って、図９は、ＤＭ−ＲＳおよびＰＴ−ＲＳを複合スケジューリングするよう構成された無線デバイス１６のブロック図である。無線デバイス１６は処理回路４２を有する。いくつかの実施形態では処理回路がメモリ４４およびプロセッサ４６を含んでよく、メモリ４４は、プロセッサ４６によって実行されると本明細書で説明される１つまたは複数の機能を実行するようにプロセッサ４６を構成する命令を含む。従来のプロセッサおよびメモリに加えて、処理回路４２は処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）を含んでよい。
【００３８】
処理回路４２はメモリ４４を含み、および／またはメモリ２４に接続され、および／またはメモリ２４にアクセス（例えば書き込みおよび／または読み出し）するように構成されてよく、メモリ２４は、任意の種類の揮発性および／または不揮発性メモリ、例えばキャッシュおよび／またはバッファメモリおよび／またはＲＡＭ（ランダムアクセスメモリ）および／またはＲＯＭ（読み出し専用メモリ）および／または光学メモリおよび／またはＥＰＲＯＭ（消去可能プログラマブル読み出し専用メモリ）を含むんでよい。そのようなメモリ４４は、制御回路により実行可能なコードおよび／または他のデータ、例えば通信に関係するデータ、例えばノードの構成および／またはアドレスデータなどを記憶するように構成され得る。処理回路４２は本明細書で説明される方法のいずれかを制御するように、かつ／または、そのような方法を例えばプロセッサ４６によって実行させるように構成されてもよい。対応する命令は、処理回路４２で読み取り可能な、かつ／または読み取り可能に接続され得るメモリ４４に記憶されてよい。換言すると、処理回路４２は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含んでよいコントローラを含むことができる。処理回路４２は、コントローラおよび／または処理回路４２によって読み取りおよび／または書き込みのためにアクセス可能であるように構成され得るメモリを含むか、またはメモリに接続され得るか、またはメモリに接続可能であり得ることが考慮されてよい。
【００３９】
メモリ４４は、ＤＭ−ＲＳ位置情報５０およびＰＴ−ＲＳスケジュール情報５２を記憶するように構成される。プロセッサ４６は、スロット内のスケジュールされた最初のＤＭ−ＲＳの時間領域内の位置に関する情報を取得するように構成されたＤＭ−ＲＳ位置取得器５８を実装する。プロセッサ４６はまた、スロット内でＰＴ−ＲＳをスケジュールするように構成されたＰＴ−ＲＳスケジューラ６０を実装する。トランシーバ４８はＰＴ−ＲＳをネットワークノード１４に送信するか、またはネットワークノード１４からＰＴ−ＲＳを受信するように構成され、ＰＴ−ＲＳの位置はスケジューリングされた最初のＤＭ−ＲＳの時間領域における位置に依存する。
【００４０】
図１０は、ＤＭ−ＲＳおよびＰＴ−ＲＳを複合スケジューリングするよう構成された無線デバイス１６の代替実施形態のブロック図である。メモリモジュール４５は、ＤＭ−ＲＳ位置情報５０およびＰＴ−ＲＳスケジュール情報５２を記憶するように構成される。ＤＭ−ＲＳ位置取得器モジュール５９は、スロット内でスケジュールされた最初のＤＭ−ＲＳの時間領域内の位置に関する情報を取得するように構成される。ＰＴ−ＲＳスケジューラモジュール６１は、スロット内でＰＴ−ＲＳをスケジュールするように構成される。トランシーバモジュール４９はＰＴ−ＲＳをネットワークノード１４に送信するか、またはネットワークノード１４からＰＴ−ＲＳを受信するように構成され、ＰＴ−ＲＳの位置はスケジューリングされた最初のＤＭ−ＲＳの時間領域における位置に依存する。
【００４１】
図１１は、ＤＭ−ＲＳおよびＰＴ−ＲＳを複合スケジューリングするための例示的な処理のフローチャートである。この処理は、ネットワークノード１４および／または無線デバイス１６において実行され得る。この処理は、プロセッサ２６、４６を介して、同じタイムスロット内の複数の周波数における時間−周波数リソースグリッド内のＤＭ−ＲＳをスケジューリングすることを含む（ブロックＳ９０）。この処理はまた、ＰＴ−ＲＳスケジューラ２０、６０を介して、同じ周波数の複数のタイムスロットの時間−周波数グリッド内でＰＴ−ＲＳをスケジュールすることを含み、ＰＴ−ＲＳがスケジュールされるタイムスロットはＤＭ−ＲＳの位置に依存する（ブロックＳ９２）。
【００４２】
いくつかの実施形態の利点は、必要とされる推定品質を達成しながら、パイロット汚染を回避するために総基準信号オーバーヘッドを低減することができることである。ＤＭ−ＲＳ及びＰＴ−ＲＳ位置の提案された複合設計の実施形態の主なステップが図１２に示されている。この処理は、ＰＴ−ＲＳスケジューラ２０、６０を介して、スケジュールされたＭＣＳに従ってＰＴ−ＲＳ時間密度を決定することを含む（ブロックＳ１００）。この処理はまた、ＤＭ−ＲＳ位置取得器１８、５８を介して、前倒しされたＤＭ−ＲＳの位置を決定することを含む（ブロックＳ１０２）。この処理はさらに、プロセッサ２６、４６を介して、データ伝送のためにスケジュールされた最初と最後のシンボルの位置を決定することを含む（ブロックＳ１０４）。次に、本明細書で提案され、説明される解決策が、スロット内のＰＴ−ＲＳのマップを取得するために使用される（ブロックＳ１０６）。ＤＭ−ＲＳの追加のインスタンスがある場合（ブロックＳ１０８）、提案された解決策は、ＤＭ−ＲＳマップを取得するために使用される（ブロックＳ１１０）。さもなければ、処理は終了する。
【００４３】
図１３は、位相追跡基準信号（ＰＴ−ＲＳ）を送信または受信するための例示的な処理のフローチャートである。この処理は、ＤＭ−ＲＳ位置取得器１８、４８を介して、スロット内のスケジュールされた最初の復調基準信号（ＤＭ−ＲＳ）の時間領域内の位置に関する情報を取得することを含む（ブロックＳ１２０）。位置は、ＤＭ−ＲＳの無線リソース制御スケジューリングを介してＷＤ１６から取得されてもよい。この処理はまた、ＰＴ−ＲＳトランシーバ２８、４８を介して、スロット内でＰＴ−ＲＳを送信および受信することのうちの１つを含み、ここで、ＰＴ−ＲＳの位置は、スケジュールされた最初のＤＭ−ＲＳの時間領域における位置に依存する（ブロックＳ１２２）。
【００４４】
本開示の構成の一般的な処理フローを説明し、本開示の処理および機能を実装するためのハードウェアおよびソフトウェア構成の例を提供したので、以下のセクションは本開示の実施形態を実施し、ＰＴ−ＲＳを送信および受信するための構成の詳細および例を提供する。
提案された解決策は、以下の利点のうちの少なくともいくつかを有することができる。
・ＤＭ−ＲＳおよびＰＴ−ＲＳの両方がスケジュールされるときの基準信号の総オーバーヘッドの低減、
・スロット内の前倒しされたＤＭ−ＲＳの実際の位置に適合する両方の基準信号の共通の設計、
・両方のタイプの基準信号が、所望の推定品質を提供することができる。
【００４５】
この処理は、いくつかの実施形態では以下のように説明することができる。スロットベースの送信を考える。スロット間隔はＬ個のＯＦＤＭシンボル長、例えば７または１４シンボルであってもよい。シンボルインデックスは範囲［１：Ｌ］を有する。時間領域におけるＰＴ−ＲＳのマッピングは、次式によって決定される。
【００４６】
ＸREF＝ｍｉｎ（ＤFL）、ここで、ＤFLは、前倒しされたＤＭ−ＲＳの位置を含むセットを表す。
ΔPTRS、ＰＴ−ＲＳインスタンス間の距離であり、ＰＴ−ＲＳ時間密度に反比例する。
Ｄ0≧１、スロット内でデータ送信のためにスケジュールされた最初のシンボル。
Ｄ1≦Ｌ、スロット内でデータ送信のためにスケジュールされた最後のシンボル。
【００４７】
Ｐは、送信スロット内のＰＴ−ＲＳの時間位置を含むセットを表すものとする。前倒しされたＤＭ−ＲＳおよびＰＴ−ＲＳのための位置合わせされた設計を得るために、Ｐは以下のように定義されてもよい。
P = {n∈N / D0≦n≦D1 and (n - XREF) mod ΔPTRS = 0}
Ｄは、スロット内の追加のＤＭ−ＲＳの潜在的な位置のセットを表すものとする。ＤＭ−ＲＳおよびＰＴ−ＲＳのための位置合わせされた設計を得るために、Ｄは以下のように定義されてもよい。
D = {n∈P and n＞XREF}
したがって、ＤＭ−ＲＳインスタンスはＰＴ−ＲＳインスタンスのサブセットであり、ＰＴ  ＲＳおよびＤＭ−ＲＳのための位置合わせされた設計を提供する。要約すると、いくつかの実施形態による提案された解決策の全体的な基準は、以下のように表すことができる。
ＸREF，ΔPTRS，D0，D1の制約の下で
P,D = argmax|P ∩ D|
【００４８】
実施形態：時間密度１の前倒しされたＤＭ−ＲＳおよびＰＴ−ＲＳ
図１４には、時間密度１かつ単一の前倒しされたＤＭＲＳインスタンスパターンを有するＰＴ−ＲＳのための複合設計の一例が示されている。
【００４９】
図１５には、時間密度が１／２である単一の前倒しされたＤＭ−ＲＳパターン及びＰＴ−ＲＳのための複合設計の一例が示されている。ＤＭ−ＲＳおよびＰＴ−ＲＳのための複合設計を使用することによって、（ＤＭ−ＲＳインスタンスが、ＰＴ−ＲＳを置き換えて、位相雑音推定のために再使用され得るので）スロット内の基準信号オーバーヘッドが低く保たれ得ることが分かる。複合設計がなければ、基準信号時間密度は１／２よりも高くなり得る。
【００５０】
図１６には、時間密度が１／２である二重の前倒しされたＤＭ−ＲＳパターン及びＰＴ−ＲＳのための複合設計の一例が示されている。いくつかの実施形態における提案された複合設計の利点は、ＰＴ−ＲＳマップが単一かつ前倒しされたＤＭＲＳパターンに対して変化しないことである。
【００５１】
実施形態：時間密度１である追加のＤＭ−ＲＳインスタンスおよびＰＴ−ＲＳを有する前倒しされたＤＭ−ＲＳ
図１７には、時間密度が１である追加のＤＭ−ＲＳインスタンスおよびＰＴ−ＲＳを有する前倒しされたＤＭ−ＲＳパターンのための複合設計の一例が示されている。
【００５２】
実施形態：時間密度１／２である追加のＤＭ−ＲＳインスタンスおよびＰＴ−ＲＳを有する前倒しされたＤＭ−ＲＳ
図１８には、時間密度が１／２である追加のＤＭ−ＲＳインスタンスおよびＰＴ−ＲＳを有する前倒しされたＤＭ−ＲＳパターンのための複合設計の一例が示されている。ＤＭ−ＲＳおよびＰＴ−ＲＳのための複合設計を使用することによって、（ＤＭ−ＲＳインスタンスが、ＰＴ−ＲＳを置き換えて、位相雑音推定のために再使用され得るので）スロット内の時間領域内の基準信号オーバーヘッドが低く保たれ得る。複合設計がなければ、基準信号時間密度は１／２よりも高くなり得る。
【００５３】
いくつかの実施形態の利点は、ＤＭ−ＲＳおよびＰＴ−ＲＳの複合設計が基準信号に基づく推定の精度を維持しながら、時間領域における基準信号のオーバーヘッドを低減することができることである。
【００５４】
ＰＴ−ＲＳは通常、（１つのＤＭＲＳポートに関連付けられた）１つのアンテナポートのみについてスケジュールされ、すなわち、ＰＴ−ＲＳによって使用されるリソースの多重化はなく、これは、オーバーヘッドを低減するためにＤＭ−ＲＳリソース要素とＰＴ−ＲＳリソース要素との位置合わせのための道を開く。ＰＴ−ＲＳの密度は変調および符号化スキーム（ＭＣＳ）に依存し、これは、等しい性能の異なる時間オフセットを使用してリソースグリッドにＰＴ−ＲＳを配置する自由度を提供する。ＰＴ−ＲＳは、ある密度のリソースグリッドに及ぶ時間領域信号であるため、ＤＭ−ＲＳが位置合わせすることができる位置のセットも提供する。その結果、追加のＤＭＲＳがスケジュールされるとき、所望のチャネル推定品質を提供する少なくとも１つのＰＴ−ＲＳリソース位置が存在する。
【００５５】
いくつかの実施形態では、位相追跡基準信号（ＰＴ−ＲＳ）を送信および受信することのうちの１つのための、無線通信システムにおける無線ノード１４，１６において使用するための方法が提供される。この方法は、スロット内のスケジュールされた最初の復調基準信号（ＤＭ−ＲＳ）の時間領域内の位置に関する情報を取得すること（ブロックＳ１２０）を含む。位置情報は、例えば、ＤＭ−ＲＳの無線リソース制御スケジューリングを介して無線デバイス１６から取得されてもよい。この方法はまた、スロット内でＰＴ−ＲＳを送信および受信することのうちの１つを含み（ブロックＳ１２２）、ここで、ＰＴ−ＲＳの位置は、スケジュールされた最初のＤＭ−ＲＳの時間領域における位置に依存する。
【００５６】
いくつかの実施形態では、取得することは、スケジュールされた最初のＤＭ−ＲＳの時間領域における位置についての情報を受信すること、およびその位置を決定することのうちの１つを含む。いくつかの実施形態では、この方法がデータ送信のためにスケジュールされたスロット内の最初の時間シンボルの位置に関する情報を取得することをさらに含む。いくつかの実施形態では、この方法はまた、データ送信のためにスケジュールされたスロット内の最後の時間シンボルの位置に関する情報を取得することを含む。いくつかの実施形態では、この方法はまた、スケジュールされた変調および符号化スキーム（ＭＣＳ）を示す情報を取得することと、スケジュールされたＭＣＳに基づく時間密度でＰＴ−ＲＳを送信することとを含む。これはＯＦＤＭに関する場合であり、それに対してＤＦＴＳ−ＯＦＤＭ波形については、時間密度を指示するためにより高い層のメッセージングが用いられる。いくつかの実施形態では、時間密度が１、１／２、および１／４のうちの１つである。いくつかの実施形態では、この方法が、スケジュールされた最初のＤＭ−ＲＳの位置、スケジュールされたＭＣＳ、必要とされる時間密度、データ送信のためにスケジュールされた最初の時間シンボルの位置、およびデータ送信のためにスケジュールされた最後の時間シンボルの位置のうちの１つまたは複数に基づいて、ＰＴ−ＲＳをスロット内のリソース要素（ＲＥ）にマッピングすることを含む。いくつかの実施形態では、最初のＤＭ−ＲＳは、周波数においていくつかのサブキャリアにまたがり且つ時間においてスロットの１つ又は２つの時間シンボルにまたがるリソース要素（ＲＥ）においてスケジュールされる一方、ＰＴ−ＲＳは、周波数において少なくとも１つのサブキャリアにまたがり且つ時間においてスロットの複数の時間シンボルにまたがるＲＥにおいて送信されるか、又は受信される。いくつかの実施形態では、スロットの物理リソースブロック（ＰＲＢ）が周波数領域で１２個のサブキャリアを有し、時間領域で１２個または１４個の時間シンボルを有する。いくつかの実施形態では、無線ノード１４、１６がＷＤおよびネットワークノードのうちの一方である。いくつかの実施形態では、追加のＤＭ−ＲＳが最初のＤＭ−ＲＳおよびＰＴ−ＲＳと同じスロット内でスケジュールされ、２番目のＤＭ−ＲＳの位置はＰＴ−ＲＳの位置に依存する。いくつかの実施形態では、ＰＴ−ＲＳがミリ波長の高周波数帯域でのみ送信される。
【００５７】
別の態様によれば、位相追跡基準信号（ＰＴ−ＲＳ）を送信および受信することのうちの一方のために構成された無線通信システムにおける無線ノード１４，１６が提供される。この無線ノード１４、１６は、スロット内のスケジュールされた最初の復調基準信号（ＤＭ−ＲＳ）の時間領域内の位置に関する情報を取得するように構成された処理回路を含む。この処理回路２２，４２は、スロット内でＰＴ−ＲＳを送信および受信することの一方を行うようにさらに構成され、ＰＴ−ＲＳの位置はスケジュールされた最初のＤＭ−ＲＳの時間領域における位置に依存する。
【００５８】
この態様によれば、いくつかの実施形態において、取得することは、スケジュールされた最初のＤＭ−ＲＳの時間領域における位置についての情報を受信すること、および決定することのうちの１つを含む。いくつかの実施形態では、この処理回路２２，４２は、データ送信のためにスケジュールされたスロット内の最初の時間シンボルの位置に関する情報を取得し、データ送信のためにスケジュールされたスロット内の最後の時間シンボルの位置に関する情報を取得するようにさらに構成される。いくつかの実施形態では、この処理回路２２，４２が、スケジュールされた変調および符号化スキーム（ＭＣＳ）を示す情報を取得し、スケジュールされたＭＣＳに基づいた時間密度でＰＴ−ＲＳを送信するようにさらに構成される。いくつかの実施形態では、時間密度が１、１／２、および１／４のうちの１つである。いくつかの実施形態では、この処理回路が、スケジュールされた最初のＤＭ−ＲＳの位置、スケジュールされたＭＣＳ、必要とされる時間密度、データ送信のためにスケジュールされた最初の時間シンボルの位置、およびデータ送信のためにスケジュールされた最後の時間シンボルの位置のうちの１つまたは複数に基づいて、ＰＴ−ＲＳをスロット内のリソース要素（ＲＥ）にマッピングするようにさらに構成される。いくつかの実施形態では、最初のＤＭ−ＲＳは、周波数においていくつかのサブキャリアにまたがり且つ時間においてスロットの少なくとも１つの時間シンボルにまたがるリソース要素（ＲＥ）においてスケジュールされる一方、ＰＴ−ＲＳは、周波数において少なくとも１つのサブキャリアにまたがり且つ時間においてスロットの複数の時間シンボルにまたがるＲＥにおいて送信されるか、又は受信される。いくつかの実施形態では、スロットの物理リソースブロック（ＰＲＢ）が周波数領域で１２個のサブキャリアを有し、時間領域で１２個または１４個の時間シンボルを有する。いくつかの実施形態では、無線ノード１４、１６がＷＤおよびネットワークノードのうちの一方である。
【００５９】
別の態様によれば、位相追跡基準信号（ＰＴ−ＲＳ）を送信および受信することのうちの一方のために構成された無線通信システムにおける無線ノード１４，１６が提供される。この無線ノード１４，１６は、スロット内のスケジュールされた最初の復調基準信号（ＤＭ−ＲＳ）の時間領域内の位置に関する情報を取得するように構成された復調基準信号（ＤＭ−ＲＳ）位置取得器モジュール１９，５９を含む。この無線ノード１４，１６は、スロット内でＰＴ−ＲＳを送信および受信することの一方を行うようにさらに構成されたＰＴ−ＲＳトランシーバモジュール２９，４９をさらに含み、ＰＴ−ＲＳの位置はスケジュールされた最初のＤＭ−ＲＳの時間領域における位置に依存する。いくつかの実施形態では、最初のＤＭ−ＲＳは、周波数においていくつかのサブキャリアにまたがり且つ時間においてスロットの少なくとも１つの時間シンボルにまたがるリソース要素（ＲＥ）においてスケジュールされる一方、ＰＴ−ＲＳは、周波数において少なくとも１つのサブキャリアにまたがり且つ時間においてスロットの複数の時間シンボルにまたがるＲＥにおいて送信されるか、又は受信される。
【００６０】
いくつかの実施形態は以下を含む。
実施形態１： 復調基準信号（ＤＭ−ＲＳ）と共に位相追跡基準信号（ＰＴ−ＲＳ）をスケジューリングする方法であって、
同じタイムスロット内の複数の周波数における時間−周波数リソースグリッド内の前記ＤＭ−ＲＳをスケジューリングすることと、
同じ周波数の複数のタイムスロットで、前記時間−周波数グリッド内で前記ＰＴ−ＲＳをスケジュールすることであって、前記ＰＴ−ＲＳがスケジュールされるタイムスロットはＤＭ−ＲＳの位置に依存することと、を含む。
実施形態２：  実施形態１に記載の方法であって、前記ＰＴ−ＲＳの時間密度が、選択された変調および符号化方式に依存する。
実施形態３：  実施形態１および２のいずれかに記載の方法であって、前記時間密度が１／２である。
実施形態４：  実施形態１乃至３のいずれかに記載の方法であって、前記ＤＭ−ＲＳが単一で前倒しされている。
実施形態５：  実施形態１乃至３のいずれかに記載の方法であって、前記ＤＭ−ＲＳが二重で前倒しされている。
実施形態６：  実施形態１乃至５のいずれかに記載の方法であって、前記方法はネットワークノードにより実行される。
実施形態７：  実施形態１乃至５のいずれかに記載の方法であって、前記方法は無線デバイスにより実行される。
【００６１】
実施形態８：  復調基準信号（ＤＭ−ＲＳ）と共に位相追跡基準信号（ＰＴ−ＲＳ）をスケジューリングするよう構成されたネットワークノードであって、
処理回路を含み、該処理回路は、
同じタイムスロット内の複数の周波数における時間−周波数リソースグリッド内の前記ＤＭ−ＲＳをスケジューリングし、
同じ周波数の複数のタイムスロットで、前記時間−周波数グリッド内で前記ＰＴ−ＲＳをスケジュールするよう構成され、前記ＰＴ−ＲＳがスケジュールされるタイムスロットはＤＭ−ＲＳの位置に依存する。
実施形態９：  実施形態８に記載のネットワークノードであって、前記ＰＴ−ＲＳの時間密度が、選択された変調および符号化方式に依存する。
実施形態１０：  実施形態８および９のいずれかに記載のネットワークノードであって、前記時間密度が１／２である。
実施形態１１：  実施形態８乃至１０のいずれかに記載のネットワークノードであって、前記ＤＭ−ＲＳが単一で前倒しされている。
実施形態１２：  実施形態８乃至１０のいずれかに記載のネットワークノードであって、前記ＤＭ−ＲＳが二重で前倒しされている。
【００６２】
実施形態１３：  復調基準信号（ＤＭ−ＲＳ）と共に位相追跡基準信号（ＰＴ−ＲＳ）をスケジューリングするよう構成されたネットワークノードであって、
同じタイムスロット内の複数の周波数における時間−周波数リソースグリッド内の前記ＤＭ−ＲＳをスケジューリングするよう構成されたＤＭ−ＲＳスケジューリングモジュールと、
同じ周波数の複数のタイムスロットで、前記時間−周波数グリッド内で前記ＰＴ−ＲＳをスケジュールするよう構成されたＰＴ−ＲＳスケジューリングモジュールと含み、前記ＰＴ−ＲＳがスケジュールされるタイムスロットはＤＭ−ＲＳの位置に依存する。
【００６３】
実施形態１４：  復調基準信号（ＤＭ−ＲＳ）と共に位相追跡基準信号（ＰＴ−ＲＳ）をスケジューリングするよう構成された無線デバイスであって、
処理回路を含み、該処理回路は、
同じタイムスロット内の複数の周波数における時間−周波数リソースグリッド内の前記ＤＭ−ＲＳをスケジューリングし、
同じ周波数の複数のタイムスロットで、前記時間−周波数グリッド内で前記ＰＴ−ＲＳをスケジュールするよう構成され、前記ＰＴ−ＲＳがスケジュールされるタイムスロットはＤＭ−ＲＳの位置に依存する。
実施形態１５：  実施形態１４に記載の無線デバイスであって、前記ＰＴ−ＲＳの時間密度が、選択された変調および符号化方式に依存する。
実施形態１６：  実施形態１４および１５のいずれかに記載のネットワークノードであって、前記時間密度が１／２である。
実施形態１７：  実施形態１４乃至１６のいずれかに記載のネットワークノードであって、前記ＤＭ−ＲＳが単一で前倒しされている。
実施形態１８：  実施形態１４乃至１６のいずれかに記載のネットワークノードであって、前記ＤＭ−ＲＳが二重で前倒しされている。
【００６４】
実施形態１９：  復調基準信号（ＤＭ−ＲＳ）と共に位相追跡基準信号（ＰＴ−ＲＳ）をスケジューリングするよう構成された無線デバイスであって、
同じタイムスロット内の複数の周波数における時間−周波数リソースグリッド内の前記ＤＭ−ＲＳをスケジューリングするよう構成されたＤＭ−ＲＳスケジューリングモジュールと、
同じ周波数の複数のタイムスロットで、前記時間−周波数グリッド内で前記ＰＴ−ＲＳをスケジュールするよう構成されたＰＴ−ＲＳスケジューリングモジュールと含み、前記ＰＴ−ＲＳがスケジュールされるタイムスロットはＤＭ−ＲＳの位置に依存する。
略語の説明
３ＧＰＰ  第３世代パートナーシッププロジェクト
ｅＮＢ  強化型ノードＢ
ＣＲＳ  セル固有基準信号
ＤＭ−ＲＳ  復調基準信号
ＤＣＩ  ダウンリンク制御情報
ＬＴＥ  ロングタームエボリューション
ＭＩＭＯ  多入力多出力
ＤＭ−ＲＳ  位相追跡基準信号
ＲＳ  基準信号
ＴＭ  送信モード
ＴＴＩ  送信時間隔
ＵＥ  ユーザ機器
ＵＲＬＬＣ  超高信頼低レイテンシ通信
ＷＤ  無線デバイス。
【００６５】
当業者によって理解されるように、本明細書で説明される概念は、方法、データ処理システム、および／またはコンピュータプログラム製品として具現化され得る。したがって、本明細書で説明される概念は全体的にハードウェアの実施形態、全体的にソフトウェアの実施形態、または本明細書で全体的に「回路」または「モジュール」と呼ばれるソフトウェアとハードウェアの態様を組み合わせた実施形態の形をとることができる。さらに、本開示は、コンピュータによって実行することができる、媒体内に具現化されたコンピュータプログラムコードを有する、有形のコンピュータ使用可能記憶媒体上のコンピュータプログラム製品の形をとることができる。ハードディスク、ＣＤ−ＲＯＭ、電子記憶装置、光記憶装置、または磁気記憶装置を含む、任意の適切な有形のコンピュータ可読媒体を利用することができる。
【００６６】
いくつかの実施形態は、方法、システム、およびコンピュータプログラム製品のフローチャート図および／またはブロック図を参照して本明細書で説明される。フローチャート図および／またはブロック図の各ブロック、ならびにフローチャート図および／またはブロック図のブロックの組合せは、コンピュータプログラム命令によって実施できることを理解されたい。これらのコンピュータプログラム命令は、（専用コンピュータを生成するための）汎用コンピュータ、専用コンピュータ、または他のプログラマブルデータ処理装置のプロセッサに提供されて、コンピュータまたは他のプログラマブルデータ処理装置のプロセッサを介して実行される命令が、フローチャートおよび／またはブロック図の１つまたは複数のブロックで特定された機能／動作を実施するための手段を作成するように、マシンを生成することができる。
【００６７】
これらのコンピュータプログラム命令はまた、コンピュータ可読メモリまたは記憶媒体に記憶されてもよく、コンピュータ可読メモリまたは記憶媒体は、コンピュータまたは他のプログラマブルデータ処理デバイスに特定の様式で機能するように指示することができ、その結果、コンピュータ可読メモリに記憶された命令は、フローチャートおよび／またはブロック図の１つまたは複数のブロックで特定された機能／動作を実行する命令手段を含む製品を生成する。
【００６８】
コンピュータプログラム命令はまた、コンピュータまたは他のプログラマブルデータ処理装置にロードされて、コンピュータまたは他のプログラマブル装置上で実行される命令がフローチャートおよび／またはブロック図の１つまたは複数のブロックで特定された機能／動作を実行するためのステップを提供するように、コンピュータまたは他のプログラマブル装置上で一連の動作ステップを実行させて、コンピュータ実装処理を生成することができる。
【００６９】
ブロックに記載された機能／動作は、動作図に記載された順序とは異なる順序で行われてもよいことを理解されたい。例えば、連続して示される２つのブロックは実際には実質的に同時に実行されてもよく、またはブロックが含まれる機能／動作に応じて、時には逆の順序で実行されてもよい。図のいくつかは通信の主方向を示すために、通信経路上に矢印を含むが、通信は描かれた矢印と反対の方向に生じ得ることが理解されるべきである。
【００７０】
本明細書で説明する概念の操作を実行するためのコンピュータプログラムコードは、Ｊａｖａ（登録商標）またはＣ＋＋などのオブジェクト指向プログラミング言語で書かれていてよい。しかし、本開示の動作を実行するためのコンピュータプログラムコードは、「Ｃ」プログラミング言語などの従来の手続き型プログラミング言語で書くこともできる。プログラムコードは、完全にユーザのコンピュータ上で、部分的にユーザのコンピュータ上で、スタンドアロンソフトウェアパッケージとして、部分的にユーザのコンピュータ上でかつ部分的にリモートコンピュータ上で、または完全にリモートコンピュータ上で実行することができる。後者のシナリオでは、リモートコンピュータがローカルエリアネットワーク（ＬＡＮ）またはワイドエリアネットワーク（ＷＡＮ）を介してユーザのコンピュータに接続することができ、または外部コンピュータに接続することができる（例えば、インターネットサービスプロバイダを使用するインターネットを介して）。
【００７１】
多くの異なる実施形態が、上記の説明および図面に関連して本明細書に開示されている。これらの実施形態のあらゆる組み合わせおよびサブコンビネーションを文字通りに説明し、例示することは、過度に繰り返され、混乱させることが理解されるのであろう。したがって、すべての実施形態は任意の方法および／または組み合わせで組み合わせることができ、図面を含む本明細書は、本明細書で説明される実施形態のすべての組み合わせおよびサブコンビネーション、ならびにそれらを作製および使用する方法および処理の完全な書面による説明を構成すると解釈されるべきであり、そのような任意の組み合わせまたはサブコンビネーションに対する特許請求の範囲をサポートするものとする。
【００７２】
当業者であれば、本実施形態は、本明細書に特に示され、記載されたものに限定されないことを理解するのであろう。加えて、上記に反対の言及がなされない限り、添付の図面の全てが縮尺通りではないことに留意されたい。上記の教示に照らして、以下の特許請求の範囲から逸脱することなく、様々な修正および変形が可能である。
【図１】
0006983257.tif 000002
【図２】
0006983257.tif 000003
【図３】
0006983257.tif 000004
【図４】
0006983257.tif 000005
【図５】
0006983257.tif 000006
【図６】
0006983257.tif 000007
【図７】
0006983257.tif 000008
【図８】
0006983257.tif 000009
【図９】
0006983257.tif 000010
【図１０】
0006983257.tif 000011
【図１１】
0006983257.tif 000012
【図１２】
0006983257.tif 000013
【図１３】
0006983257.tif 000014
【図１４】
0006983257.tif 000015
【図１５】
0006983257.tif 000016
【図１６】
0006983257.tif 000017
【図１７】
0006983257.tif 000018
【図１８】
0006983257.tif 000019